(57)【要約】【課題】  スライド操作や回転操作を行う際の誤動作を防止して操作性を向上することのできる操作装置を提供する。【解決手段】  回転操作のみを可能とする円筒状の回転操作部材２１の上に、円筒状のスライド操作部材２２を設ける。これらの操作部材２１、２２を用いて表示画面を制御する操作装置２である。そして、前記回転操作部材２１と前記スライド操作部材２２は、それぞれ上面が下面に対して縮径されており、前記スライド操作部材２２の下面の径の大きさは、前記回転操作部材２１の上面の径の大きさ以下である。【選択図】    図３
2004311393.tif 000002
【特許請求の範囲】
【請求項１】
スライド操作部材の円筒状の先端部を、円筒状の回転操作部材の上端より上に位置するように設け、これらの操作部材を用いて表示画面を制御する操作装置において、少なくとも前記スライド操作部材の先端部は、上面の径が下面の径に対して縮径されており、前記スライド操作部材の先端部の下面の径の大きさは、前記回転操作部材の上面の径の大きさ以下であることを特徴とする操作装置。
【請求項２】
前記回転操作部材の高さ寸法は、前記スライド操作部材の先端部の高さ寸法よりも大きいことを特徴とする請求項１に記載の操作装置。
【請求項３】
前記回転操作部材の上面の径よりも、前記スライド操作部材の先端部の下面の径を小さくして、前記回転操作部材の上面に逃げ部を形成することを特徴とする請求項１に記載の操作装置。
【請求項４】
前記回転操作部材を、その側面に連なるように突出形成した突出部上に設けたことを特徴とする請求項１に記載の操作装置。
【請求項５】
画面に表示されたメニューを回転操作可能なダイヤルの回転操作にて選択し、スライド操作部材の押下操作によりメニューを決定する操作装置において、前記スライド操作部材のスライド操作に修正機能を割り当てたことを特徴とする操作装置。
【請求項６】
スライド操作部材の先端部を、円筒状の回転操作部材の上端より上に位置するように設け、これらの操作部材を用いて表示画面を制御する操作装置において、前記回転操作部材は、その上面の径が下面の径に対して縮径されると共に、その側面が傾斜面となっており、前記回転操作部材の傾斜面を延長した位置よりも内側に前記スライド操作部材の先端部が設けられることを特徴とする操作装置。
【請求項７】
前記回転操作部材を、その側面に連なるように突出形成した突出部上に設けたことを特徴とする請求項６に記載の操作装置。
【発明の詳細な説明】
【技術分野】
【０００１】
本発明は、回転操作部材と、スライド操作部材とを用いて表示画面を制御する操作装置に関するものである。
【背景技術】
【０００２】
従来、特許文献１には、軸線方向に変位可能かつ軸線周りに回転可能とされた操作部材を備え、この操作部材による入力操作に応じて、表示装置の画面上にて各種処理項目を選択することにより、車載機器等を操作する操作装置が開示されている。
【特許文献１】特開２００１−５２４７０８号公報
【発明の開示】
【発明が解決しようとする課題】
【０００３】
しかしながら、従来の技術においては、スライド操作と回転操作が一体となっているため、操作者がスライド操作または回転操作のみを行いたい場合であっても、これらの操作に伴って操作部材が回転やスライドして、予期せぬ動作が行われてしまう場合があり、操作性の点で好ましくないという問題があった。
本発明は、このような事情に鑑みてなされたもので、スライド操作や回転操作を行う際の誤動作を防止して操作性を向上することのできる操作装置を提供することを目的とする。
【課題を解決するための手段】
【０００４】
上記課題を解決するために、請求項１に記載の発明は、スライド操作部材（例えば、実施の形態におけるスライド操作部材２２、４２）の円筒状の先端部（例えば、実施の形態におけるツマミ部５１、４３）を、円筒状の回転操作部材（例えば、実施の形態における回転操作部材２１、４１）の上端より上に位置するように設け、これらの操作部材を用いて表示画面（例えば、実施の形態における表示装置６）を制御する操作装置（例えば、実施の形態における操作装置２，４０）において、少なくとも前記スライド操作部材の先端部は、上面の径（例えば、実施の形態における径ＬＳ１）が下面の径（例えば、実施の形態における径ＬＳ２）に対して縮径されており、前記スライド操作部材の先端部の下面の径の大きさは、前記回転操作部材の上面の径（例えば、実施の形態における径ＬＫ１）の大きさ以下であることを特徴とする。
【０００５】
この発明によれば、前記回転操作部材と前記スライド操作部材とを別部材で構成し、それぞれの操作部材の上面が下面に対して縮径されているため、操作者が上側からこれらの操作部材を把持する場合に上側の部分が干渉せず、操作を容易に行うことができる。また、前記スライド操作部材の先端部の下面の径の大きさは、前記回転操作部材の上面の径の大きさ以下であるので、操作者が回転操作部材を操作する際にスライド操作部材に接触して誤動作することを防止でき、回転操作性が向上する。
【０００６】
請求項２に記載した発明は、前記回転操作部材の高さ寸法（例えば、実施の形態における寸法ＨＫ）は、前記スライド操作部材の先端部の高さ寸法（例えば、実施の形態における寸法ＨＳ）よりも大きいことを特徴とする。
【０００７】
この発明によれば、操作者は、前記スライド操作部材に接触せずに回転操作部材を上側から把持することが容易となるため、回転操作性をさらに高めることができる。また、前記スライド操作部材の先端部の高さ寸法が前記回転操作部材の高さ寸法よりも小さいため、スライド操作部材を軽量化することができ、スライド操作を僅かな力で行え、スライド操作性が向上する。
【０００８】
請求項３に記載した発明は、前記回転操作部材の上面の径よりも、前記スライド操作部材の先端部の下面の径を小さくして、前記回転操作部材の上面に逃げ部（例えば、実施の形態における逃げ部２５）を形成することを特徴とする。
【０００９】
この発明によれば、スライド操作部材の先端部と回転操作部材の径が異なるため、操作者はそれぞれの操作部材を視認しなくても両者を容易に区別することができ、また、回転操作部材を持つときにスライド操作部材が指にあたらないので、操作者は前記スライド操作部材を手の平に当接させた状態でスライド操作部材を手の平で操作することができるとともに、回転操作部材をそのまま指で操作することもできるため、それぞれの操作部材を持ち替えることなく操作することができ、操作性がさらに向上する。また、スライド操作部材が軽量化されるため、スライド部材の操作をより容易に行えるようになる。
【００１０】
請求項４に記載した発明は、前記回転操作部材を、その側面に連なるように突出形成した突出部（例えば、実施の形態における突出部２３）上に設けたことを特徴とする。
この発明によれば、前記突出部により、前記回転操作部材と、突出部が形成される一般面との間隔が突出部の寸法分確保されるので、操作者が回転操作部材の基端側を把持した場合でも、操作者の爪や指先が前記一般面に接触することを防止できるため、操作者に違和感を与えることを防止でき、操作性が向上する。また、前記突出部を指で押さえることにより、車の振動などによる誤動作を防ぐこともでき、操作性が向上する。また、回転操作部材を回転動作のみ可能とすることによって、更にその効果を向上することも可能である。
【００１１】
請求項５に記載した発明は、画面に表示されたメニュー（例えば、実施の形態におけるメニュー３１）を回転操作可能なダイヤルの回転操作にて選択し、スライド操作部材の押下操作によりメニューを決定する操作装置において、前記スライド操作部材のスライド操作に修正機能を割り当てたことを特徴とする。
この発明によれば、スライド操作部材を１回スライド操作するだけで修正を行うことができるため、回転操作部材で修正を行う場合に必要な、選択しているメニューから修正機能のメニュー（例えば、実施の形態における修正メニュー３２）に切り換えるための回転量の調整やそれに伴う画面の視認作業が不要となり、操作時間を短縮できるとともに利便性を増すことができる。
【００１２】
請求項６に記載した発明は、スライド操作部材の先端部を、円筒状の回転操作部材の上端より上に位置するように設け、これらの操作部材を用いて表示画面を制御する操作装置において、前記回転操作部材は、その上面の径（例えば、実施の形態におけるＬＫ１）が下面の径（例えば、実施の形態における径ＬＫ２）に対して縮径されると共に、その側面が傾斜面となっており、前記回転操作部材の傾斜面を延長した位置（例えば、実施の形態におけるラインＳ）よりも内側に前記スライド操作部材の先端部が設けられることを特徴とする。
【００１３】
この発明によれば、操作者が上側からこれらの操作部材を把持する場合に上側の部分が干渉せず、操作を容易に行うことができる。また、前記スライド部材は、前記回転操作部材の傾斜面を延長した位置よりも内側に設けられているので、操作者が回転操作部材を操作する際にスライド操作部材に接触して誤動作することを防止でき、回転操作性が向上する。
【００１４】
請求項７に記載した発明は、前記回転操作部材を、その側面に連なるように突出形成した突出部上に設けたことを特徴とする。
この発明によれば、操作者が回転操作部材の基端側を把持した場合でも、操作者の爪や指先が突出部を形成した一般面に接触することを防止できるため、操作者に違和感を与えることを防止でき、操作性が向上する。
【発明の効果】
【００１５】
以上説明したように、請求項１に記載した発明によれば、操作者が上側からこれらの操作部材を把持する場合に上側の部分が干渉せず、操作を容易に行うことができ、また、操作者が回転操作部材を操作する際にスライド操作部材に接触して誤動作することを防止できるので回転操作性が向上する。
【００１６】
請求項２に記載した発明によれば、前記回転操作部材と指先との接触面積を十分に確保しつつ、前記スライド操作部材に接触せずに回転操作部材を把持することが容易となるため、回転操作性をさらに高めることができるとともに、スライド操作部材を軽量化することができ、スライド操作性が向上する。
【００１７】
請求項３に記載した発明によれば、それぞれの操作部材を持ち替えることなく操作することができるため、操作性がさらに向上する。また、スライド操作部材が軽量化されるため、スライド部材の操作をより容易に行えるようになる。
【００１８】
請求項４に記載した発明によれば、操作者が回転操作部材の基端側を把持した場合でも、操作者の爪や指先が前記突出部が形成される一般面に接触することを防止できるため、操作者に違和感を与えることを防止でき、操作性が向上する。
【００１９】
請求項５に記載した発明によれば、スライド操作部材を１回スライド操作するだけで入力修正を行うことができるため、操作時間を短縮でき、利便性を増すことができる。
【００２０】
請求項６に記載した発明によれば、操作者が回転操作部材を操作する際にスライド操作部材に接触して誤動作することを防止でき、回転操作性が向上する。
請求項７に記載した発明によれば、操作者に違和感を与えることを防止でき、操作性が向上する。
【発明を実施するための最良の形態】
【００２１】
以下、本発明の実施の形態における操作装置を図面と共に説明する。図１は本発明の実施の形態における操作装置２を搭載した車両１の概略構成図である。
前記車両１には、操作装置２と、ＧＰＳセンサ３と、車速センサ４と、スピーカー５と、表示装置６と、ナビゲーション装置７とを備えている。ナビゲーション装置７は、操作装置２、ＧＰＳセンサ３、車速センサ４のそれぞれから信号が入力され、これらの信号に基づいて、スピーカー５や表示装置６に出力を行う。
以下、各装置について説明する。
【００２２】
前記操作装置２は、操作者（この場合は車両の搭乗者）からの入力操作によって操作され、ナビゲーション装置７を介して表示装置６への入力作業を行うことが可能である。これについては、詳細を後述する。
ＧＰＳセンサ３は車両１の位置情報を検出するセンサ、車速センサ４は車両１の速度Ｖを検出するセンサであり、それぞれの検出値をナビゲーション装置７に入力する。
ナビゲーション装置７は、データベース８、メモリー９、ＣＰＵ１０、プログラム１１を備えている。データベース８には、表示装置６に表示させる各種項目やその項目内容のデータが記憶されている。前記データベース８には、各データに対応する音声認識語彙を対応づけて記憶している。
【００２３】
また、メモリー９には、データベース８から抽出されたデータや操作装置２から入力された入力済データ、および該データの音声識別語彙等が適宜書込、消去される。また、ＣＰＵ１０は、前記プログラム１１に基づいて作動し、データベース８からメモリー９へのデータの抽出処理や、抽出されたデータに対応づけられた音声認識語彙の音声ファイルへの変換処理、スピーカー５や表示装置６への出力処理等を行う。表示装置６は、ＣＰＵ１０により出力される前記メモリー９上のデータや地図データをその表示画面に表示する。スピーカー５は、ＣＰＵ１０により出力される音声ファイルを音声出力する。
【００２４】
図１に示す操作装置が設けられるインパネの正面図である。同図に示したように、インパネ２０の略中央部に操作部材２が突出形成されている。以下、操作装置２について説明する。
図３は図１に示す操作装置を示す斜視図である。操作装置２は、回転操作部材２１の上に、スライド操作部材２２の先端部（ツマミ部５１）を突出させて設けた構成とされている。回転操作部材２１は、その外形を円筒状に形成され、上面の径ＬＫ１が下面の径ＬＫ２に対して縮径され、その側面が傾斜面となっている。また、図５の説明において後述するが、回転操作部材２１は軸心Ｐ周り（矢印Ｒ方向）に対する回転操作のみを可能とし、軸心Ｐ方向やこれに直交する方向（Ｘ方向、Ｙ方向）に操作されないように設定されている。
【００２５】
一方、スライド操作部材２２は、回転操作部材２１と同一の軸心Ｐを有した外形円筒形状に形成され、前記回転操作部材２１の傾斜面を延長した位置（ラインＳ）よりも内側に配置されている。スライド操作部材２２は、軸心Ｐ方向に矢印Ｑのように押下可能であって、軸心Ｐ方向に直交する２方向（Ｘ方向、Ｙ方向）に対してスライド可能とされている。なお、本実施の形態において、スライドとは、スライド操作部材２２が、Ｐ軸に対し、Ｘ−Ｙ方向に平行移動すること、および、Ｐ軸に対し、Ｘ−Ｙ方向に揺動することを含む。
【００２６】
また、スライド操作部材２２のツマミ部５１は、回転操作部材２１と同様に、上面の径ＬＳ１が下面の径ＬＳ２に対して縮径され、その側面が傾斜面となっているが、前記スライド操作部材２２のツマミ部５１の下面の径の大きさは、前記回転操作部材２１の上面の径の大きさより小さくなっている。これにより、回転操作部材２１の上面外周側は、スライド操作部材２２のツマミ部５１の下面から露出し、この部位が、後述する逃げ部２５となる。さらに、前記回転操作部材２１の高さ寸法ＨＫ（図５参照）は、前記スライド操作部材２２のツマミ部５１の高さ寸法ＨＳ（同図参照）よりも大きく設定されている。
【００２７】
また、前記回転操作部材２１を、その側面に連なるように突出形成した突出部２３上に設けており、前記回転操作部材２１と、突出部２３が形成される一般面２４との間隔を突出部２３の寸法分（図３の矢印Ｈ）確保している。
【００２８】
操作装置２の具体的な内部構造について図５を用いて説明する。図５は操作装置２の断面図である。図５に示したように、操作装置２は、インパネ２０の一般面２４から露出している部位を断面半円状に形成されているとともに、一般面２４内に埋没している部分を断面凸状に形成されている。
【００２９】
前記回転操作部材２１は、外部に露出した回転ツマミ部５３の下面内周側から、その軸心方向下側に延在する外側ホルダ５４を有している。外側ホルダ５４は、ケース６７内周面に沿って形成され、該内周面に対向して下方に延在する。この外側ホルダ５４は、前記ケース６７の内側に回動可能に介装されている。これにより、操作者が回転ツマミ部５３を回転操作すると、回転ツマミ部５３と一体的に外側ホルダ５４が軸心Ｐ周りに回転する。また、操作者が、軸心Ｐ方向やそれに直交する方向（Ｘ方向、Ｙ方向）に操作しようとしても、ケース６７によりこれらの方向への移動が規制される。従って、回転操作部材２１は、回転操作のみを可能とされている。また、ケース６７内にはエンコーダ（図示せず）が配設されており、エンコーダによって回転操作部材２１の回転角度を検知して、ナビゲーション装置７に対して信号出力する。
【００３０】
一方、操作者がツマミ部５１を軸心Ｐ方向に押圧すると、ツマミ部５１が軸心Ｐ方向に沿って下方に移動される。これによりケース６７内に配置されたエンタスイッチ（図示せず）が押圧される。
【００３１】
また、操作者がツマミ部５１を軸心Ｐ方向に直交する方向（Ｘ方向、Ｙ方向）にスライド操作すると、ケース６７内に設けられたＸ方向、Ｙ方向変位を検出するスイッチ（図示せず）によってスライド操作方向が検出される。なお、スライド操作を終了した後は、スライド操作部材２２は図示しない復帰機構により所定位置に復帰する。
【００３２】
上記のように構成したため、操作者が上側からこれらの操作部材２１、２２を把持する場合に上側の部分が干渉せず、それぞれの操作（スライド操作、回転操作）を容易に行うことができる。また、前記スライド操作部材２２のツマミ部５１の下面の径ＬＳ２の大きさは、前記回転操作部材２１の上面の径ＬＫ１の大きさ以下であるので、操作者が回転操作部材２１を操作する際にスライド操作部材２２に接触して誤動作することを防止でき、回転操作性が向上する。また、スライド操作部材２２のツマミ部５１の下面の径ＬＳ２の大きさを回転操作部材２１の上面の径ＬＫ１の大きさよりも小さくし、スライド操作部材２２のツマミ部５１の高さ寸法ＨＳを回転操作部材２１の高さ寸法ＨＫよりも小さく設定しているため、スライド操作部材２２のスライド部分を軽量化することができる。これにより、スライド操作を僅かな力で行うことができ、スライド操作性が向上する。
【００３３】
また、回転操作部材２１とスライド操作部材２２のツマミ部５１の径が異なるため、操作者はそれぞれの操作部材２１、２２を視認しなくても両者を容易に区別することができる。そして、回転操作部材２１に形成された逃げ部２５により操作者の指先や爪を逃すことができる。回転操作部材２１を持つときにスライド操作部材２２が指にあたらないので、操作者は前記スライド操作部材２２を手の平に当接させた状態でスライド操作部材２２を手の平で操作することができるとともに、回転操作部材２１をそのまま指で操作することもできる。このように、それぞれの操作部材２１、２２を持ち替えることなく操作することができ、操作性がさらに向上する。
【００３４】
また、前記回転操作部材２１と、一般面２４との間隔が突出部２３の寸法Ｈ分確保されるので、操作者が回転操作部材２１の基端側を把持した場合でも、操作者の爪や指先が前記一般面２４に接触することを防止できる（図４のＡ，Ｂ参照）。よって、回転操作部材２１操作時に爪や指先が一般面２４に接触する違和感を操作者に与えることを防止でき、操作性が向上する。
【００３５】
また、本実施の形態においては、前記スライド操作部材２２のスライド操作に修正機能を割り当てている。これについて図７〜図１０を用いて説明する。
図７〜図１０は図１に示す表示装置６の表示画面の一例を示す説明図である。図７に示したように、表示装置６の表示画面には、複数のメニュー３１が略楕円状に表示され、これらのメニュー３１のうち、前記楕円下部側に表示されるメニューが修正メニュー（目的地消去）３２とされている。これらのメニュー３１を回転操作部材２１の回転操作にて選択できるとともに（図８参照）、スライド操作部材２２の押下操作によりメニュー３１を決定することができる（図９参照）。そして、前記スライド操作部材２２のスライド操作により、決定されたメニュー３１を修正することができる。すなわち、図１０に示すように、スライド操作部材メニュー３１をスライド操作することにより一旦決定されたメニュー（この場合は「Ｄ警察署」）３３をキャンセル（消去）することができる。なお、本実施の形態においては、
１）スライド操作にて履歴の中から一つを削除、
２）スライド操作にて入力したものを削除（電話番号入力等の入力済み数字の削除）、
３）スライド操作にて削除したい対象をカーソルにて指し、エンタにて削除、
４）スライド操作にて削除メニューに移動してエンタにて削除、
５）選んだものを（メニューなど）をスライド操作にてキャンセル、
の５つが可能であるが、修正機能はこれらのみに限られるものではない。
【００３６】
このように、スライド操作部材２２を１回スライド操作するだけで入力修正を行うことができるため、回転操作部材２１で入力修正を行う場合に必要な、選択しているメニュー３１から修正機能の修正メニュー３２に切り換えるための回転量の調整やそれに伴う画面の視認作業が不要となり、操作時間を短縮できるとともに利便性を増すことができる。
【００３７】
図６は図５に示す操作装置２の変形例である操作装置４０を示す断面図である。図５と同様の部分については同一の番号を付している。操作装置４０は、スライド操作部材４２先端のツマミ部４３の下面の径を，回転操作部材４１の上面の径と略同一で若干大きく形成している。この場合においても、上述の操作装置２と同様に、スライド操作や回転操作を行う際の誤動作を防止して操作性を向上することができる。
【００３８】
なお、本発明に係る操作装置は、上述した実施の形態にのみ限られるものでないことはもちろんであり、例えば、スライド操作部材の形状は、円錐や角錐形状であってもよい。また、操作装置は、ナビゲーション装置７の他にも、エアコンディショナやその他機器の操作にも適用することができる。さらに、回転操作部材は、スライド操作部材と分離されていれば、回転操作のみが可能でなくてもよい。
【図面の簡単な説明】
【００３９】
【図１】図１は本発明の実施の形態における操作装置を搭載した車両の概略構成図である。
【図２】図１に示す操作装置が設けられるインパネの正面図である。
【図３】図１に示す操作装置を示す斜視図である。
【図４】図１に示す操作装置の操作例を示す説明図である。
【図５】図３に示す操作装置の断面図である。
【図６】図５に示す操作装置の変形例を示す断面図である。
【図７】図１に示す表示装置の表示画面の一例を示す説明図である。
【図８】図１に示す表示装置の表示画面の一例を示す説明図である。
【図９】図１に示す表示装置の表示画面の一例を示す説明図である。
【図１０】図１に示す表示装置の表示画面の一例を示す説明図である。
【符号の説明】
【００４０】
１  車両
２、４０  操作装置
６  表示装置
２１、４１  回転操作部材
２２  スライド操作部材
２３  突出部
５１、４３  ツマミ部（スライド操作部材の先端部） 
【図１】
2004311393.tif 000003
【図２】
2004311393.tif 000004
【図３】
2004311393.tif 000005
【図４】
2004311393.tif 000006
【図５】
2004311393.tif 000007
【図６】
2004311393.tif 000008
【図７】
2004311393.tif 000009
【図８】
2004311393.tif 000010
【図９】
2004311393.tif 000011
【図１０】
2004311393.tif 000012